(57)【特許請求の範囲】
【請求項１】
内部に螺旋状の案内流路を有する縦管を用いた排水管の設置構造において、
マンホールとマンホールの下方に埋設されていて下流側排水管と接続した排水枡の間に、マンホール底部を貫通して排水枡の流入口周囲にまで伸びた保護管が設置され、この保護管内に前記縦管が挿通されてその下端が前記排水枡の流入口に接続され、マンホール側壁を貫通してマンホール内に引き入れられた上流側排水管が継手管を介して前記縦管の流入口に接続されることを特徴とする排水管の設置構造。
【請求項２】
端部にフランジ部を有する複数の単位管を連結して構成された縦管を用いた請求項１に記載の排水管の設置構造。
【発明の詳細な説明】
【０００１】
【発明の属する技術分野】
本発明は、螺旋状の案内流路を内蔵した縦管を用いた排水管の設置構造に関する。
【０００２】
【従来の技術及び発明が解決しようとする課題】
傾斜勾配が急な宅地などに排水管路を垂直に敷設する場合、下水の落下衝撃を吸収して排水管の損傷を防止する目的で、内部に螺旋状の案内流路を有する縦管が用いられている。このような縦管は、縦管全体が配置される深底のマンホール内に設置され、管内を点検したり異物を除去したりするときは、マンホール内に作業者が入り、管壁に設けられた点検口を開けて行っていた。
【０００３】
従来の排水管は、縦管をマンホール内に設置する構造となっており、地中に大型のマンホールを形成するため管路敷設工事も大掛かりなものとならざるを得なかった。従って、大型のマンホールを形成することなく縦管を設置し、而も管内のメンテナンスが可能であれば、管路敷設工事の規模を縮小し、設置コストの削減が図れて好ましい。
【０００４】
本発明は従来技術の有するこのような問題点に鑑み、地中に大型のマンホールを形成することなく螺旋状の案内流路を内蔵した縦管を設置可能とした、従来にはない排水管の設置構造を提案するものである。
【０００５】
【課題を解決するための手段】
内部に螺旋状の案内流路を有する縦管を用いた本発明の排水管の設置構造は、マンホールとマンホールの下方に埋設されていて下流側排水管と接続した排水枡の間に、マンホール底部を貫通して排水枡の流入口周囲にまで伸びた保護管が設置され、この保護管内に前記縦管が挿通されてその下端が前記排水枡の流入口に接続され、マンホール側壁を貫通してマンホール内に引き入れられた上流側排水管が継手管を介して前記縦管の流入口に接続されることを特徴とする。
【０００６】
これによれば、縦管のメンテンスは、下水の流れを一時的に止めた状態で、縦管の流入口に接続された継手管の位置をずらして前記流入口から抜き取り、そのまま縦管を上方に引っ張り、マンホール内或いは地上まで引き抜いて行う。メンテナンス後は、縦管をマンホール内から保護管内に挿入し、そのまま下方へ押し込めば、縦管は保護管に案内されてその下端が排水枡の流入口に差し入れられ、さらに継手管をずらして縦管の流入口に接続すれば、元の配管状態に復帰する。
【０００７】
前記構成において、縦管には、端部にフランジ部を有する複数の単位管を連結して構成されたものを用い、これが保護管内に略一杯に挿入されるように構成すれば、保護管内に挿通される縦管をより正確に位置決めして排水枡に接続させることができる。
【０００８】
【発明の実施の形態】
本発明の好適な実施形態を図面を参照して説明する。
図１は本発明の実施形態の一例を示す排水管の縦断面図、図２は図１の縦管の要部断面図、図３は縦管の外管を構成する単位管の半面を破断した正面図、図４は縦管のメンテナンスを行うときの状態を示した排水管の縦断面図である。
【０００９】
本発明の排水管の設置構造は、マンホール１の側壁１ａを貫通してマンホール内に引き入れられた上流側排水管２とマンホール１よりも下方に埋められた下流側排水管３を縦管４を介して接続するものであり、継手管５、排水枡６及び保護管７を用いて構成される。
【００１０】
縦管４は、その上部に側方へ突出した流入口４ａが設けられ、内部に螺旋状の案内流路を備えて、上流側排水管２と下流側排水管３の段差分の長さを有して形成される。詳しくは、案内流路は、図２に示されるように、同軸に配された大径外管４１の内周面と小径内管４２の外周面に螺旋案内板４３を固着して構成され、継手管５を介して流入口部４ａに流入した下水を螺旋案内板４３に沿って管内を回転させながら下端流出口４ｂへと導き、落下衝撃を吸収して排出させ得るようになっている。縦管４の外管４１は、図３に示されるように、両端部にフランジ部４１ｂ、４１ｂを有する複数の単位管４１ａを連結して構成され、縦管４は外周に所定の間隔でフランジ部４１ｂが突設された形態となっている。
【００１１】
継手管５は、一側を拡径受口５ａ、他側を小径差口５ｂとして形成され、拡径受口５ａをマンホール内に引き入れられた上流側排水管２の端部に接続し、小径差口５ｂを縦管４の流入口４ａに接続して両管路を接続している。拡径受口５ａはその内周に設けたリング状パッキン８を介して上流側排水管２周面に圧密に接合し、また、小径差口５ｂは流入口４ａの内周に設けたパッキン８を介して流入口４ａに水密に接合しているが、上流側排水管２に沿って拡径受口５ａ側の接続位置をずらすことにより、小径差口５ｂを流入口４ａから抜き取ることができるようになっている。
【００１２】
排水枡６は、上部流入口６ａに対して流出口６ｂが９０°曲がった曲がり管により構成され、流入口６ａがマンホール１の蓋部１ｂの鉛直下となるように位置を合わせてマンホール１の真下に埋められている。流入口６ａは内周にリング状パッキン８が装着され、その内部に縦管４の下端流出口４ｂを圧密に挿入できるように設けてあり、また、流出口６ｂには下流側排水管３が接続されている。
【００１３】
保護管７は、縦管４が略一杯に内挿可能な開口径を有する、外周にリブが突設された高剛性のリブ付きパイプによって構成され、マンホール１の蓋部１ｂの鉛直下に、マンホール１と排水枡６との間に垂直に立てて設置されている。保護管７は、その上端がマンホール１の底部１ｃを貫通してマンホール内に開口し、下端が排水枡６の流入口６ａの周囲を包囲するように配置して固定されている。なお、保護管７は、外周にリブを有しない合成樹脂パイプを使用してもよく、排水枡６の流入口６１ａの外周と保護管７の下端周囲との間にシールパッキンを装着して管内に土砂が進入するのを防止しておくことが好ましい。
【００１４】
これらの部材を用いてなる本発明の設置構造は、マンホール１と排水枡６の間に設置された保護管７に、マンホール１内から縦管４を挿通してその下端流出口４ｂを排水枡６の流入口６ａに接続し、さらに、縦管４の流入口４ａに、マンホール１内に突出した上流側排水管２を継手管５を介して接続することにより構成される。
【００１５】
これによれば、図１に示された通常の排水管の接続状態では、上流側排水管２から流出される下水は、継手管５を介して縦管４内に流入し、螺旋案内板４３に沿って回転しながら管内を流下し、下端流出口４ｂから排水枡６に排出され、下流側排水管３へと導かれる。
【００１６】
縦管４の点検や掃除をする際には、図４に示されるように、先ず、上流側排水管２を一時的に止水し、マンホール１の蓋１ｂを取り去ってマンホール上面を開口するとともに、継手管５の上流側排水管２との接続位置をずらして継手管５を縦管４の流入口４ａから抜き取る。そして、保護管７に挿通された縦管４をそのまま上方へ引っ張り、縦管４をマンホール１内まで、或いは地上まで引き抜き上げ、縦管４の全体を保護管７の外側に露出させた状態でメンテナンスを行うことができる。
【００１７】
メンテナンス終了後は、縦管４を再び保護管７内に挿入し、そのまま下方へ押し込めば、縦管４は保護管７に案内されてその下端が排水枡６の流入口６ａに差し入れられ、さらに継手管５の接続位置をずらして小径差口５ｂを流入口４ａに接続すれば、元の配管状態に復帰し、当初の良好な下水の流れを維持することができる。
【００１８】
【発明の効果】
このように本発明の設置構造によれば、縦管の全体を包囲する大型のマンホールを形成することなく、縦管を設置し、且つ管内のメンテナンスを行うことができるので、マンホールは縦管の一部を設置できる程度の小型のものを形成すれば足り、管路敷設工事の規模を縮小し、設置コストの削減を図ることができる。
【図面の簡単な説明】
【図１】本発明の実施形態の一例を示す排水管の縦断面図である。
【図２】図１の縦管の要部断面図である。
【図３】縦管を構成する外管の半面を破断した正面図である。
【図４】縦管のメンテナンスを行うときの状態を示した排水管の縦断面図である。
【符号の説明】
１    マンホール
２    上流側排水管
３    下流側排水管
４    縦管
５    継手管
６    排水枡
７    保護管
８    パッキン
【図１】
0003987307.tif 000002
【図２】
0003987307.tif 000003
【図３】
0003987307.tif 000004
【図４】
0003987307.tif 000005